(57)【要約】      （修正有）【課題】衝撃または摩擦によってぼやけて識別しにくいことにならないエンボス標示を備えるソケットを提供する。【解決手段】エンボス標示を備えるソケット１０は、ソケットの連接孔１１を備える一端に一つ以上の標示エリア１２が設けられ、ソケットの標示エリアは底部１２１及び底部から突き出して設けられる標示記号１２２を備え、底部はすなわち標示エリア１２の底面であり、標示記号１２２の高さはソケットの外表面を越えることなく、このようにして標示記号１２２は衝撃または摩擦の影響を受けにくくなり、長期間に使用されている場合でもよい識別効果を備える。【選択図】図１
0003143622.tif 000002
【実用新案登録請求の範囲】
【請求項１】
エンボス標示を備えるソケットであって、第一端と第二端を備え、前記第一端にはスパナとの結合に用いられる連接孔が設けられ、前記連接孔は深さを備え、前記第二端には工作物を固定するための駆動孔が設けられていて、前記ソケットの第一端の外表面と前記ソケットの横断面が交わして切断する切曲線が第一曲率を備え、前記第一端の外表面の連接孔の深さに相対する軸方向範囲内に一つ以上の標示エリアが設けられ、これら標示エリアはプレスによって前記ソケットの第一端の外周面側に一体成型され、前記標示エリアは底部と、底部に突き出して設けられる標示記号を備え、前記底部の表面は第二曲率を備え、前記第一曲率は前記第二曲率の１．５倍以上であることを特徴とする、エンボス標示を備えるソケット。
【請求項２】
前記標示エリアの底部は凹入状を呈し、前記第二曲率は前記標示エリアの底部表面とソケットの横断面が交わして切断する切曲線から得た曲率であることを特徴とする、請求項１に記載のエンボス標示を備えるソケット。
【請求項３】
前記標示エリアの底部は突起状を呈し、前記第二曲率は前記標示エリアの底部表面とソケットの横断面が交わして切断する切曲線から得た曲率であることを特徴とする、請求項１に記載のエンボス標示を備えるソケット。
【請求項４】
前記標示エリアの底部は凹入状を呈し、前記第二曲率は前記標示エリアの底部表面とソケットの縦断面が交わして切断する切曲線から得た曲率であることを特徴とする、請求項１に記載のエンボス標示を備えるソケット。
【請求項５】
前記標示エリアの底部は突起状を呈し、前記第二曲率は前記標示エリアの底部表面とソケットの縦断面が交わして切断する切曲線から得た曲率であることを特徴とする、請求項１に記載のエンボス標示を備えるソケット。
【請求項６】
前記標示エリアの底部は平面状を呈し、前記第二曲率はゼロであることを特徴とする、請求項１に記載のエンボス標示を備えるソケット。
【請求項７】
前記底部の両側にはそれぞれの第一境界が形成され、かつ前記底部はそれぞれ二つの第一境界の端部に連接する第二境界を備え、前記第一境界と前記第二境界にはめぐり囲って閉鎖した底部を形成し、それによって各標示エリアの底部は互いに連接しないで独立に存在し、前記底部の標示記号は第一境界または第二境界と連接せず、前記標示記号には頂上部が形成され、前記頂上部の頂上面と前記標示エリアの底部表面は同じ曲率を備え、かつ前記標示記号の頂上面の高さは前記ソケットの第一端の外表面を越さないことを特徴とする、請求項１に記載のエンボス標示を備えるソケット。
【請求項８】
前記第一境界と前記ソケットの第一端の外表面の間には第一連接面を備え、前記第二境界と前記ソケットの第一端の外表面の間には第二連接面を備えることを特徴とする、請求項７に記載のエンボス標示を備えるソケット。
【請求項９】
前記第一境界は前記底部の底面と前記ソケットの第一端の外表面が交わす個所に形成され、前記第二境界と前記ソケットの第一端の外表面の間には第二連接面を備えることを特徴とする、請求項７に記載のエンボス標示を備えるソケット。
【考案の詳細な説明】
【技術分野】
【０００１】
本考案はソケットの構造に係り、特にエンボス標示を備えるソケットの構造に関する。
【背景技術】
【０００２】
アメリカ合衆国特許第4947713号（Elastomeric  sleeve  on  rearward  portion  of  wrench  socket  to  facilitate  recognition  and  selection  of  the socket）公報を参照されたい。それに開示されるソケット10には前端11と後端12を備え、ソケット10の後端12には組み付け環14が結合されてある。組み付け環14はプラスチック(plastic)、ゴム(gum)またはその他弾性材料から作られ、組み付け環14は鋳造または射出法を用いて浮き出し状の標示18を作り出す。その後は接着剤15をもって組み付け環14をソケット10の後端12に結合する。このようなソケット10の製造法はソケットユニット(unit)に標示18を作り出すものではなく、製造過程がやや複雑である欠点があるので工数を費やすのとコストが高い問題が生じる。尚且つ組み付け環14はプラスチック材から作られるので、標示18は衝撃または摩擦によってぼやけて識別しにくくなりやすい。
【０００３】
アメリカ合衆国特許第4836059号（Elastomeric  sleeve  for  conventional  wrench  sockets）公報を参照されたい。それに開示されるソケット10には前端11と後端12を備え、ソケット10の後端12には組み付け環29が結合されてある。組み付け環29はプラスチック、ゴムまたはその他弾性材料から鋳造され、かつ組み付け環14にはラベル(label)40が貼り付けてある。ラベル40上には押し印、プリント(print)または刻印の方式をもって標示42が作り出される。このようなソケット10の製造法はソケットユニットに標示42を作り出すものではなく、製造過程がやや複雑である欠点があるので、工数を費やすのとコストが高い問題が生じる。尚且つ組み付け環29はプラスチック材から作られるので、標示42は衝撃または摩擦によってぼやけて識別しにくくなりやすい。
【０００４】
アメリカ合衆国特許第D442837号（Grippable  drive  socket）公報を参照されたい。それに開示されるソケットの外周には交差したエンボス紋路がエンボスされ、並びにソケットサイズ(size)の標示部がエンボスされてある。また、アメリカ合衆国特許第6761039号（Socket structure）公報に開示されるソケット10には標示部12が備えられ、標示部12はエンボス成形法を用いて標示主体20及び標示エリア21が作られる。またアメリカ合衆国特許出願公開第20060090612号（Socket  specification  identification）公報に開示されるソケット10もエンボス方式を用いて第一部分11の外表面に標示部15がエンボスされてある。
【０００５】
前述ソケット10の標示部12（15）は直接一体にソケット10に設けられてあるが、ソケット10は中空の構造であるので、ソケットを損なう、またはソケットの物理性能を変える製造方法で行ってはならないので、エンボス成形法を採用して標示部12（15）を作り出す。ところが、エンボス成形法によって作り出した寸法または規格字形は凹紋が浅いので、衝撃または摩擦によってぼやけやすい欠点があった。
【０００６】
アメリカ合衆国特許第7028588号（Tool  having  easily  identified  size）公報を参照されたい。それに開示されるソケット22は型板印刷を用いて顔色エリア221と文字222を作り出す。このようなソケット22の文字222は一体にソケット22に設けられ、かつ中空ソケット22が機械加工法によって衝撃されてソケット22が変形する恐れがない。ところが、型板印刷の手順は伝統的機械加工法よりも複雑であり、コストも高く、かつ作り出した文字222は薄膜状の構造であるので、衝撃または摩擦によってぼやけやすい欠点があった。
【特許文献１】アメリカ合衆国特許第4947713号公報
【特許文献２】アメリカ合衆国特許第4836059号公報
【特許文献３】アメリカ合衆国特許第D442837号公報
【特許文献４】アメリカ合衆国特許第6761039号公報
【特許文献５】アメリカ合衆国特許出願公開第20060090612号公報
【特許文献６】アメリカ合衆国特許第7028588号公報。
【考案の開示】
【考案が解決しようとする課題】
【０００７】
本考案が解決しようとする技術的問題は、衝撃または摩擦によってぼやけて識別しにくいことにならないエンボス標示を備えるソケット構造を提供することである。
【課題を解決するための手段】
【０００８】
本考案に係る『エンボス標示を備えるソケット』はソケットの第一端の外表面とソケットの横断面が交わして切断する切曲線は第一曲率を備え、第一端の外表面の連接孔の深さに相対する軸方向範囲内に一つ以上の標示エリアが設けられ、これら標示エリアはプレスによってソケットの第一端の周側に一体成型され、標示エリアは底部と、底部に突き出して設けられる標示記号を備え、底部の表面は第二曲率を備え、第一曲率は第二曲率の１．５倍より大きいまたは等しいことを特徴とするものである。
【考案の効果】
【０００９】
本考案によれば、標示エリアが衝撃を受けるか、悪い工事環境（例えば高温、液体）にあるか、または長期間に使用されている場合でも、よい構造と高度な識別性を保つことができ、使用者により便利と簡易な観察効果を提供するとともに、標示エリアの寿命と耐久性を高めることができるという効果を奏する。
【実施例１】
【００１０】
図1乃至図4には、本考案のエンボス標示を備えるソケット10の実施例１を示す。ソケット10にはラチェット(ratchet)スパナの駆動に用いられる第一端101、及び工作物を駆動するための第二端102を備える。ソケット10の第一端101には連接孔11が設けられ、連接孔11は深さDを備え（図1または図19を参照されたい）、ソケット10第一端101の外表面の連接孔11の深さDに相対する軸方向範囲内に一つ以上の標示エリア12が設けられてある。本実施例では第一端101の両側にそれぞれ標示エリア12が設けられてそれを最適表示としているが、もちろん第一端101は片側だけに標示エリア12が設けられてもよい。本領域に於いて通常知識のあるものはソケット10の第一端101個所に二つ以上の標示エリア12、例えば三つの標示エリア12または四つの標示エリア12等を形成するよう変えてもよい。
【００１１】
本実施例に於いて、ソケット10はアメリカ仕様のソケット10構造であり、それの外観の第一端101と第二端102は直径が同じで、肩部を形成していない。ソケット10の連接孔11は四辺形の孔（すなわち正四方形）に設けられてある。もちろん、連接孔11は六辺形の孔状または十二辺形の孔状に設けてもよい。
【００１２】
ソケット10の標示エリア12に底部121及び底部121に突き出して設けられる標示記号122を備え、底部121はすなわち標示エリア12の底面であり、標示記号122の頂上面の高さはソケット10の外表面を越さない。このほか、底部121の両側にはそれぞれ縦方向に延伸する第一境界124が形成され、第一境界124とソケット10第一端101の外表面の間に第一連接面125を備える。すなわち、底部121の底面と第一連接面125が交わす個所に第一境界124が形成される。また、底部121にはそれぞれ二つの第一境界124の端部に連接する第二境界126が形成され、第二境界126とソケット10第一端101の外表面の間に第二連接面127を備える。すなわち、底部121の底面と第二連接面127が交わす個所に第二境界127が形成される。それら第一、第二境界124、126はめぐり囲って閉鎖した底部121を形成し、それによって各標示エリア12の底部121は互いに連接しないで独立に存在し、底部121に突き出して設けられる標示記号122も境界124、126に連接しない。このように、本考案の標示エリア12が衝撃を受ける、または悪い工事環境（例えば高温、液体）にある、または長期間使用されてもよい構造と高度な識別性を保つことができ、使用者により便利と簡易な観察効果を提供し、標示エリア12の寿命と耐久性を高めることができる。
【００１３】
ソケット10の外表面は外周半径を備え、外周半径の円心はソケット10の軸線位置にあり、標示エリア12の底部121は底面半径を備え、底面半径の円心はソケット10の内側に寄せ付ける。標示エリア12の底部121の底面半径とソケット10の外表面の外周半径の挟み角は零度である。すなわち、底面半径が形成する平面と外周半径が形成する平面の挟み角は零度である。
【００１４】
円の半径の逆数は円の曲率である。このように、前記ソケット10の外周半径の逆数は第一曲率ｃ1であり、この第一曲率ｃ1はすなわちソケット10の第一端101の外表面とソケット10の横断面が交わして切断する切曲線である。前記底部121の底面半径の逆数は、第二曲率ｃ2であり、この第二曲率ｃ2は、すなわち標示エリア12の底部121の表面とソケット10の横断面が交わして切断する切曲線である。
【００１５】
ソケット10に標示エリア12が型によって加工される場合、ソケット10の外表面は内側へ押し付けられ、すなわち、標示エリア12がプレスによってソケット10の第一端101の周囲に一体成型される場合、本考案の考案者の設計では次の関係式が採用され、それは押し付けられた標示エリア12の構造を最もスムーズ(smooth)に加工できるようにし、そのために、第一曲率ｃ1と第二曲率ｃ2には次の関係式（数１）が存在する。
【００１６】
【数１】
0003143622.tif 000003
【００１７】
すなわち、第一曲率ｃ1は第二曲率ｃ2の1.5倍より大きいまたは等しく、或いは第一曲率ｃ1は第二曲率ｃ2の1.5倍より小さくならないとも言える。これにより、底面半径の円心をソケット10の内側に寄せ付けた場合、標示エリア12の底部121は突起した弧面状に現れる。すなわち、第二曲率ｃ2の彎曲方向は第一曲率ｃ1の彎曲方向と同じであるので、標示エリア12の底部121は図４に示すように突起状に現れる。
【００１８】
標示記号122に頂上部123が形成され、頂上部123には頂面半径を備え、頂面半径は底面半径に等しく、標示記号122の頂面半径の逆数は第三曲率ｃ3であり、すなわち、標示記号122の頂面と標示エリア12底部121の表面は同じ曲率を備え、その関係式は、以下のとおりである。このように、標示記号122の頂上部123は標示エリア12の底部121と同じ凸弧面状に設けられる。
【００１９】
【数２】
0003143622.tif 000004
【実施例２】
【００２０】
上記関係式（数２）により、それは更に図５から図８のような実施例２を導き出すことができる。本実施例に於いて、標示エリア13の底面半径は無限大に近いので、底面半径の円心は無限に遠いところにあり、標示エリア13の底部131は平面状に近く、標示記号132の頂上部133は標示エリア13の底部131と同じように平面状に設けられる。すなわち、第二曲率ｃ2はゼロであるので、標示エリア13の底部131は図８のように平面状に現れる。
【実施例３】
【００２１】
前述関係式により、それは更に図９から図１２のような実施例３を導き出すことができる。本実施例に於いて、標示エリア14の底面半径は第一実施例の底面半径と逆方向であり、その底面半径の円心をソケット10の外側へ寄せ付けた場合、標示エリア14の底部141は凹弧面状に現れ、標示記号142の頂上部143は標示エリア14の底部141と同じように凹弧面状に設けられる。すなわち、第二曲率ｃ2の彎曲方向は第一曲率ｃ1の彎曲方向と逆であるので、標示エリア14の底部141は図12のように凹入状に現れる。
【実施例４】
【００２２】
図13から図15本考案のエンボス標示を備えるソケット20の実施例４を参照ください。本実施例は概して実施例１と同じであるが、それの差異は本実施例のソケット20はヨーロッパ仕様のソケット構造に実施され、それの外観は第一端201と第二端は直径が違い、かつ両者の間に肩部が形成され、そのほかの構造は第一実施例と同じであるので、ここでは省略する。
【実施例５】
【００２３】
図16から図20本考案のエンボス標示を備えるソケット20の実施例５を参照ください。本実施例は概して実施例４と同じであるが、それの差異は標示エリア23の底部231の底面半径とソケット20の外表面の外周半径の挟み角は90度である。すなわち、底面半径が形成する平面と外周半径が形成する平面の挟み角は90度である。このように、底面半径の円心をソケット20の内側へ寄せ付けた場合、標示エリア23の底部231は凸弧面状に現れる。
【００２４】
円の半径の逆数は円の曲率である。このように、前述ソケット20の外周半径の逆数はすなわち第一曲率ｃ1であり、この第一曲率ｃ1はすなわちソケット20の第一端201の外表面とソケット20の横断面が交わして切断する切曲線である。前述底部231の底面半径の逆数は第二曲率ｃ2であり、この第二曲率ｃ2はすなわち標示エリア23の底部231の表面とソケット20の縦断面が交わして切断する切曲線である。すなわち、第二曲率ｃ2の彎曲方向は第一曲率ｃ1の彎曲方向と同じであるので、標示エリア23の底部231は図19のように突起状に現れる。
【実施例６】
【００２５】
図21乃至図25には本考案の実施例６を示す。本実施例は概して実施例５と同じであるが、それの差異は底面半径の円心をソケット20の外側へ寄せ付けた場合、標示エリア24の底部241は凹弧面状に現れる。すなわち、第二曲率ｃ2の彎曲方向は第一曲率ｃ1の彎曲方向と逆であるので、標示エリア24の底部241は図24のように凹入状に現れる。
【実施例７】
【００２６】
図26と図27本考案の実施例７を参照ください。本実施例は概して実施例２と同じであるが、それの差異は底部151の底面とソケット10の第一端101の外表面が交わす個所には第一境界154が形成される。また、底部151にはそれぞれ二つの第一境界154の端部に連接する二つの第二境界156が形成され、第二境界156とソケット10の第一端101の外表面の間に第二連接面157を備える。すなわち、底部151の底面と第二連接面157が交わす個所に第二境界124が形成される。それら境界154、156はめぐり囲って閉鎖した底部151を形成し、それによって各標示エリア15の底部151は互いに連接しないで独立に存在し、底部151に突き出して設けられる標示記号152も境界154、156に連接しない。もちろん底部151は前述実施例の突起状または凹入状に実施されることができる。このように、本考案の標示エリア15が衝撃を受ける、または悪い工事環境（例えば高温、液体）にある、または長期間使用されてもよい構造と高度な識別性を保つことができ、使用者により便利と簡易な観察効果を提供し、標示エリア15の寿命と耐久性を高めることができる。
【図面の簡単な説明】
【００２７】
【図１】本考案エンボス標示を備えるソケットの実施例１の立体外観図である。
【図２】本考案図１の２−２断面線に沿って取った断面図である。
【図３】本考案図２の局部拡大断面図である。
【図４】本考案の標示エリアの底部表面の意表図である。
【図５】本考案エンボス標示を備えるソケットの実施例２の立体外観図である。
【図６】本考案図５の６−６断面線に沿って取った断面図である。
【図７】本考案図６の局部拡大断面図である。
【図８】本考案の標示エリアの底部表面の意表図である。
【図９】本考案エンボス標示を備えるソケットの実施例３の立体外観図である。
【図１０】本考案図９の１０−１０断面線に沿って取った断面図である。
【図１１】本考案図１０の局部拡大断面図である。
【図１２】本考案の標示エリアの底部表面の意表図である。
【図１３】本考案エンボス標示を備えるソケットの実施例４の立体外観図である。
【図１４】本考案図１３の１４−１４断面線に沿って取った断面図である。
【図１５】本考案図１４の局部拡大断面図である。
【図１６】本考案エンボス標示を備えるソケットの実施例５の立体外観図である。
【図１７】本考案ソケットの外観意表図である。
【図１８】本考案図１７の局部拡大断面図である。
【図１９】本考案の標示エリアの底部表面の意表図である。
【図２０】本考案図１７の２０−２０断面線に沿って取った断面図である。
【図２１】本考案エンボス標示を備えるソケットの実施例６の立体外観図である。
【図２２】本考案ソケットの外観意表図である。
【図２３】本考案図２２の局部拡大断面図である。
【図２４】本考案の標示エリアの底部表面の意表図である。
【図２５】本考案図２２の２５−２５断面線に沿って取った断面図である。
【図２６】本考案エンボス標示を備えるソケットの実施例７の立体外観図である。
【図２７】本考案の標示エリアの底部表面の意表図である。
【符号の説明】
【００２８】
10     ソケット
101    第一端
102    第二端
11     連接孔
12     標示エリア
121    底部
122    標示記号
123    頂上部
124    第一境界
125    第一連接面
126    第二境界
127    第二連接面
13     標示エリア
131    底部
132    標示記号
133    頂上部
134    第一境界
135    第一連接面
136    第二境界
137    第二連接面
14     標示エリア
141    底部
142    標示記号
143    頂上部
144    第一境界
145    第一連接面
146    第二境界
147    第二連接面
15     標示エリア
151    底部
152    標示記号
153    頂上部
154    第一境界
156    第二境界
157    第二連接面
20     ソケット
201    第一端
202    第二端
21     連接孔
22     標示エリア
221    底部
222    標示記号
223    頂上部
224    第一境界
225    第一連接面
226    第二境界
227    第二連接面
23     標示エリア
231    底部
232    標示記号
233    頂上部
234    第一境界
235    第一連接面
236    第二境界
237    第二連接面
24     標示エリア
241    底部
242    標示記号
243    頂上部
244    第一境界
245    第一連接面
246    第二境界
247    第二連接面
ｃ1    第一曲率
ｃ2    第二曲率
ｃ3    第三曲率
D      深さ
【図１】
0003143622.tif 000005
【図２】
0003143622.tif 000006
【図３】
0003143622.tif 000007
【図４】
0003143622.tif 000008
【図５】
0003143622.tif 000009
【図６】
0003143622.tif 000010
【図７】
0003143622.tif 000011
【図８】
0003143622.tif 000012
【図９】
0003143622.tif 000013
【図１０】
0003143622.tif 000014
【図１１】
0003143622.tif 000015
【図１２】
0003143622.tif 000016
【図１３】
0003143622.tif 000017
【図１４】
0003143622.tif 000018
【図１５】
0003143622.tif 000019
【図１６】
0003143622.tif 000020
【図１７】
0003143622.tif 000021
【図１８】
0003143622.tif 000022
【図１９】
0003143622.tif 000023
【図２０】
0003143622.tif 000024
【図２１】
0003143622.tif 000025
【図２２】
0003143622.tif 000026
【図２３】
0003143622.tif 000027
【図２４】
0003143622.tif 000028
【図２５】
0003143622.tif 000029
【図２６】
0003143622.tif 000030
【図２７】
0003143622.tif 000031